(57)【要約】  この発明は、少なくとも一つのロールを用いて、金属ストリップを平坦に圧延する圧延プロセスの制御方法に関する。従来技術により、所謂中立点の相対的な位置が圧延プロセスの最新の安定性に関する尺度となることが知られている。しかし、中立点の位置を計算するための従来の方法は、金属の実際の特性を全く不正確にしか表しておらず、そのため圧延プロセスの安定性に関する情報に対して限定的にしか適していない。この発明では、金属ストリップの実際の挙動を考慮して、金属ストリップを圧延する圧延プロセスをより良好に制御可能とするために、特に、平均的な降伏応力ｋe と中立点での静圧ｐN H とを取り入れた、中立点の相対的な位置を計算するための新しい方法を提案する。
2008521621.tif 000002
【特許請求の範囲】
【請求項１】
少なくとも一つのロール（２００）を用いて、金属ストリップ（１００）を平坦に圧延する圧延プロセスの制御方法であって、金属ストリップ（１００）とロール（２００）間の接触弧での中立点の相対的な位置（Ｎ）を検出することと、必要な場合、この中立点の位置ζ（Ｎ）にもとづき、好適な措置による圧延プロセスへの介入によって圧延プロセスを安定化させることとを有する方法において、
直接測定することができないプロセスパラメータとしての金属ストリップの平均的な降伏応力ｋe の大きさと中立点での静圧ｐN H の大きさを、それぞれ個々の圧延プロセスに関する数学的なモデルを用いて、第一と第二グループの測定可能なプロセスパラメータにもとづき推定することと、
平均的な降伏応力ｋe 及び静圧ｐN H に関して推定した大きさと、第一グループの測定可能なプロセスパラメータと、金属ストリップの平均的な弾性率Ｅ* 及び金属ストリップの圧縮率Ｋとにもとづき、中立点の相対的な位置ζ（Ｎ）を計算することと、
を特徴とする方法。
【請求項２】
平均的な降伏応力ｋe 、中立点での静圧ｐN H 及び中立点での相対的な位置ζ（Ｎ）の中の一つ以上を計算するための第一グループの測定可能なプロセスパラメータには、金属ストリップ（１００）の先進率ｆslip、入口でのストリップ厚ｈE 、出口でのストリップ厚ｈA 、及び出口でのストリップ張力σA のパラメータが含まれることを特徴とする請求項１に記載の方法。
【請求項３】
平均的な降伏応力ｋe と中立点での静圧ｐN H の中の一つ以上を計算するための第二グループの測定可能なプロセスパラメータには、入口でのストリップ張力σE 、圧延力Ｆ、ストリップの幅ｂ、ロールの半径Ｒ0 及びロールの平均的な弾性率Ｅ* R が含まれることを特徴とする請求項１又は２に記載の方法。
【請求項４】
当該の中立点の相対的な位置ζが、次の式、
【数１】
2008521621.tif 000005
ここで、
ｆslip：先進率
σA   ：出口でのストリップ張力
Ｋ    ：金属ストリップ（１００）の圧縮率
ｐN   ：ロールギャップにおける中立点での金属ストリップに対して直角（垂直）な圧力
ｑN   ：ロールギャップにおける中立点での金属ストリップの長手方向の圧力
ｋe   ：平均的な降伏応力
Ｅ*   ：金属ストリップ（１００）の平均的な弾性率
ｈE   ：入口でのストリップ厚
ｈA   ：出口でのストリップ厚
にもとづき計算されることを特徴とする請求項１から３までのいずれか一つに記載の方法。
【請求項５】
当該の中立点の相対的な位置（Ｎ）に関する計算値ζが、約０．１２の下方の閾値と約０．４０の上方の閾値の間に有る場合、圧延プロセスが、安定して進行しており、好適な措置による安定化のための介入を必要としないことを特徴とする請求項１から４までのいずれか一つに記載の方法。
【請求項６】
当該の中立点の相対的な位置に関する値ζが、０と約０．１２の下方の閾値の間に有る場合、出口でのストリップ張力の増大、入口でのストリップ張力の低減又はロールの粗さの増大などによるロールギャップでの摩擦の増大、潤滑剤の量の低減、ロール速度の低下の中の一つ以上などの好適な措置によって、圧延プロセスを安定化させることを特徴とする請求項１から４までのいずれか一つに記載の方法。
【請求項７】
当該の中立点の相対的な位置に関する値ζが、約０．４の上方の閾値を上回る場合、出口でのストリップ張力の低減、入口でのストリップ張力の増大又はロールの粗さの低減などによる摩擦の低減、潤滑剤の量の増大、ロール速度の向上の中の一つ以上などの好適な措置によって、圧延プロセスを改善することを特徴とする請求項１から４までのいずれか一つに記載の方法。
【請求項８】
当該の圧延プロセスの安定化が、中立点の計算した位置にもとづき、自動的に、或いは作業員の圧延プロセスへの介入により行われることを特徴とする請求項１から７までのいずれか一つに記載の方法。
【請求項９】
中立点の計算した相対的な位置（Ｎ）が、有利には、その時間経過に沿って保存されるか、有利には、リアルタイムで、作業員のために表示機器上に表示されるか、或いはその両方が行われることを特徴とする請求項１から８までのいずれか一つに記載の方法。
【請求項１０】
圧延プロセスを制御する制御装置のためのコンピュータプログラムであって、このコンピュータプログラムが、請求項１から９までのいずれか一つに記載の方法を実行するように構成されていることを特徴とするコンピュータプログラム。
【発明の詳細な説明】
【技術分野】
【０００１】
この発明は、少なくとも二つのロールを用いて金属ストリップを平坦に圧延する圧延プロセスを制御するための方法及びコンピュータプログラムに関する。この発明は、基本的に、例えば、冷間圧延、熱間圧延、仕上げ圧延などの全ての種類の圧延プロセスに関するものであるが、有利には、冷間圧延プロセスに用いられる。
【背景技術】
【０００２】
そのような方法は、従来技術では、例えば、特許文献１により基本的に周知である。そこには、圧延プロセスの安定性が、所謂中立点のその時々の位置に依存することが記載されている。この場合、中立点とは、作業ロールの周速度が被圧延材の速度と一致する、作業ロールの周囲上の位置として表される。前記の特許文献１は、圧延プロセスの安定性を保証するために、中立点の位置が常にロールと被圧延材間の接触弧の内側に入るようにストリップ張力を制御することを教示している。
【０００３】
しかしながら、中立点の位置の計算は、理想的な可塑性素材に関してしか分かっておらず、そのような素材に関して、圧延プロセスの測定可能なパラメータからしか計算することができない。そのため、理想的でない可塑性素材の場合、即ち、特に、弾力性の有る可塑性素材の場合、例えば、実際の金属などでは、圧延プロセスの安定性に関する判断基準として従来の計算による中立点の（相対的な）位置を使用することは、限定的にしか可能ではない。その理由は、従来では実際の金属の圧延プロセスに関する中立点の（相対的な）位置が、測定可能なパラメータを用いて、全く不正確にしか求めることができないことに有る。
【特許文献１】特開昭５５−０６１３０９号公報
【発明の開示】
【発明が解決しようとする課題】
【０００４】
従来技術を出発点として、この発明の課題は、圧延プロセス時の金属ストリップの実際の挙動を考慮して、ロールと圧延する金属ストリップ間の中立点の相対的な位置にもとづき圧延プロセスを制御する周知の方法及びコンピュータプログラムを改善することである。
【課題を解決するための手段】
【０００５】
この課題は、請求項１に記載された方法によって解決される。その方法は、直接測定することができないプロセスパラメータとしての金属ストリップの平均的な降伏応力ｋe の大きさと中立点における静圧ｐN H の大きさとを、それぞれ個々の圧延プロセスに関する数学的なモデルを用いて第一と第二グループの測定可能なプロセスパラメータにもとづき推定することと、平均的な降伏応力ｋe と静圧ｐN H に関する推定した大きさ、第一グループの測定可能なプロセスパラメータ、及び金属ストリップの平均的な弾性率Ｅ* と金属ストリップの圧縮率Ｋにもとづき、中立点の相対的な位置を計算することとを特徴とする。
【０００６】
金属ストリップの平均的な降伏応力と中立点における静圧の大きさを考慮することによって、過去に行われていた場合よりもずっと的確に、即ち、より実際に近い形で、より精確に中立点の相対的な位置を計算することが可能となる。特に、静圧を考慮することで、圧延プロセス時の金属ストリップの体積の圧縮が中立点の位置の計算に取り込まれるので、そのようなことが言える。更に、ロールギャップの最も狭い位置を通過した後のストリップの反りを考慮する。それを考慮することは、特に、先進率のパラメータ値をゼロとするために重要である。この発明にもとづく中立点の実際の位置に関して出来る限り実際に近い情報によって、圧延プロセスを監視又は制御する制御装置又は作業員が、より速く、より効率的に圧延プロセスに介入して、その安定性を保証することが可能となる。
【０００７】
降伏応力と中立点における静圧のパラメータは、確かに中立点の相対的な位置を的確に計算するために必要であるが、圧延プロセス時に測定パラメータとして簡単に測定することができないので、この発明では、個々の圧延プロセスにそれぞれ個別的に適合させることが可能な数学的なモデルを用いて、それらをシミュレーションし、有利には、リアルタイムで計算して、中立点の実際の位置の計算に対して適時に提供するものである。しかし、有利には、数学的なモデルに関する入力変量として、圧延プロセス時に測定することができるプロセスパラメータだけが使用される。
【０００８】
この発明では、中立点の相対的な位置ζは、有利には、次の式により計算される。
【０００９】
【数１】
2008521621.tif 000003
【００１０】
ここで、
ｆslip：先進率
σA   ：出口でのストリップ張力
Ｋ    ：金属ストリップの圧縮率
ｐN   ：ロールギャップにおける中立点での金属ストリップに対して直角（垂直）な圧力
ｑN   ：ロールギャップにおける中立点での金属ストリップの長手方向の圧力
ｋe   ：平均的な降伏応力
Ｅ*   ：金属ストリップの平均的な弾性率
ｈE   ：入口でのストリップ厚
ｈA   ：出口でのストリップ厚
中立点の相対的な位置に関する計算値ζが、約０．１２の下方の閾値と約０．４の上方の閾値の間に有る場合、圧延プロセスは、安定して進行していると看做される。ζの値が、下方の閾値を下回る場合、それは、圧延プロセスが不安定であることの証拠であり、その場合例えば、出口でのストリップ張力の増大、入口でのストリップ張力の低減又はロールギャップでの摩擦の増大などの好適な措置によって、圧延プロセスを再び安定化させる必要が有る。
【００１１】
中立点の相対的な位置に関するζの値が約０．４の上方の閾値を上回る、その他の場合、それは、ロールギャップでの摩擦が大きすぎて、そのためロールの磨耗も同様に大きすぎることの証拠であり、その場合好適な措置によって、それに対抗して相応に制御する必要が有る。
【００１２】
証拠書類化を目的として、この発明により計算した中立点の相対的な位置を、有利には、その時間経過に沿って保存するのが有利である。それとは関係無く、この発明により計算した中立点の相対的な位置を、有利には、リアルタイムで、作業員のために表示機器上に表示することは、圧延プロセスを安定化するための措置の素早い開始又はロールギャップでの大きすぎる摩擦力の解消に関して有利である。
【００１３】
請求項１に記載した方法の別の有利な実施形態は、従属請求項の対象となっている。
【００１４】
更に、この発明の前記の課題は、前述した方法にもとづき圧延プロセスを制御する制御装置のためのコンピュータプログラムによって解決される。
【発明を実施するための最良の形態】
【００１５】
以下において、実施例としての形の添付図面と関連して、この発明について詳しく述べる。
【００１６】
図１は、ロール２００が垂直に重ね合って配置された、両方のロール２００間でロールギャップを構成するロール対を備えた圧延機を図示している。圧延プロセスを実施するために、金属ストリップ１００は、ロールギャップを通して移送され、それにより平坦に圧延される。この場合、上方と下方の二つの（作業）ロール２００は、両方のロール２００が角度αの弧長により表される接触弧で金属ストリップ１００と接触している。
【００１７】
この発明の枠組みでは、個々の圧延プロセスの安定性に関する尺度又は判断基準として、所謂中立点の相対的な位置を用いる。図１には、中立点が、例えば、符号Ｎで表示されている。この中立点は、ロールの周速度が圧延されている素材、特に、圧延されている金属ストリップの速度と一致する、ロールの周囲上の位置として表される。
【００１８】
図１では、素材のフロー方向が、水平の矢印で示されており、そこでは左から右に進んでいる。パラメータＲは、ロール２００の半径を表し、パラメータｖE は、ロールギャップの入口での金属ストリップ１００の速度を表し、パラメータｖA は、ロールギャップの出口での金属ストリップの速度を表し、パラメータｖN は、中立点Ｎの高さでの金属ストリップ１００の速度を表している。更に、図１に図示された他の全てのパラメータを以下で詳しく説明する。
【００１９】
中立点の最新の位置が、より的確に、或いはより実際に近い形で分かるほど、より精確に、圧延プロセスの安定性に関する評価と圧延プロセスを安定化させるための措置の開始に関する決定を実施することができる。
【００２０】
そのため、図２にもとづき、圧延プロセス時に常に中立点の相対的な位置を非常に的確に、実際に近い形で計算することを可能とする、この発明による方法を説明する。
【００２１】
この発明では、次の式にもとづき、中立点Ｎの相対的な位置ζの計算を行う。
【００２２】
【数２】
2008521621.tif 000004
【００２３】
ここで、
ｆslip：先進率
σA   ：出口でのストリップ張力
Ｋ    ：金属ストリップ１００の圧縮率
ｐN   ：ロールギャップにおける中立点での金属ストリップに対して直角（垂直）な圧力
ｑN   ：ロールギャップにおける中立点での金属ストリップの長手方向の圧力
ｋe   ：平均的な降伏応力
Ｅ*   ：金属ストリップ１００の平均的な弾性率
ｈE   ：入口でのストリップ厚
ｈA   ：ロールギャップの出口でのストリップ厚
図２では、中立点の相対的な位置ζの計算がブロックＡで行われる。この場合、ζの計算に投入される前記のパラメータは、同じく図２に図示されている。これらのパラメータの中の先進率ｆslip、ロールギャップの入口での金属ストリップの高さｈE 、ロールギャップの出口での高さｈA 及びロールギャップの出口でのストリップ張力σA が、圧延プロセス時に常に直接測定可能な第一グループのプロセスパラメータを構成する。金属ストリップ１００の平均的な弾性率Ｅ* と金属ストリップの圧縮率Ｋは、基本的に周知である。それに対して、この発明による中立点の相対的な位置ζの計算に更に必要な平均的な降伏応力ｋe とロールギャップにおける中立点での金属ストリップに対して直角、即ち、垂直な圧力ｐN H に関する値は、基本的に分からず、圧延プロセス時に測定することが可能でもない。最後に述べた二つのパラメータは、直接測定することができないので、この発明では、個々の圧延プロセスに関する数学的なモデルを用いて、第一グループのパラメータと第二グループのパラメータにもとづき、それらのパラメータを推定する。第二グループのプロセスパラメータには、ロールギャップの入口でのストリップ張力σE 、圧延力Ｆ、金属ストリップの幅ｂ、（作業）ロール２００の半径Ｒ0 及びロールの平均的な弾性率Ｅ* R が含まれる。第二グループのプロセスパラメータも、圧延プロセス時に個々に測定することが可能であり、そのため平均的な降伏応力ｋe とロールギャップにおける中立点での金属ストリップに対して直角な圧力ｐN H に関する求める値は、測定可能なパラメータだけから計算することができる。この計算は、ζに関する出来る限り最新の値を入手して、必要な場合に圧延プロセスへの適切かつ効果的な介入を可能とするために、有利には、リアルタイムで行われる。
【００２４】
図３には、両方のロール２００間のロールギャップにおける中立点の可能な相対的な位置ζに関する様々な範囲が図示されている。先ずは、ζの値に関して約０．１２の下方の閾値と０．４の上方の閾値によって画定された斜線の範囲が認識できる。ζが斜線の範囲内に有る場合、即ち、数値的に上方と下方の閾値の間に有る場合、圧延プロセスは安定していると看做され、その場合圧延プロセスに介入して安定化させるための措置を採る必要はない。
【００２５】
それに対して、この発明により計算した値が、０．０８と０．１２の間に有る、それ以外の場合、圧延プロセスは、臨界的である、即ち、プロセスパラメータの変動に対して僅かな安定性しか持たないと看做される。ζの値がより一層小さい場合、特に、０と０．０８の間の値の場合、圧延プロセスは更に不安定となるため、より一層臨界的となる。前記の両方の不安定な場合、圧延プロセスは、好適な措置によって安定化させる必要が有り、措置（場合によっては組み合わせることも）の程度は、不安定さの度合いに依存する。圧延プロセスの安定化は、ロールギャップの出口でのストリップ張力σA の増大、ロールギャップの入口でのストリップ張力σE の低減、及びロールギャップでの摩擦の増大の中の一つ以上によって達成することができる。後者は、例えば、ロール２００の粗さの増大、潤滑剤の量の低減、及びロール速度の低下の中の一つ以上によって達成することができる。
【００２６】
ζの値が０．１２を上回る場合、特に、ζの値が０．１２と０．４の間に有る場合、圧延プロセスは、非常に不安定となり、明らかにロールギャップでの摩擦が大きすぎると言える。それは、生じた力とその結果としてのロールの磨耗が大きすぎるという欠点を有する。この場合、ロールギャップの出口でのストリップ張力σA の低減、ロールギャップの入口でのストリップ張力σE の増大及びロール２００と金属ストリップ１００間の摩擦の低減の中の一つ以上などの好適な措置が、それを解消することができる。摩擦の低減は、ロールの粗さの低下、潤滑剤の量の増大、及びロール速度の向上の中の一つ以上によって実現することができる。この段落内で示した措置は、必要な程度に応じて、個々に、或いは組み合わせて用いることができる。
【００２７】
先に述べた措置は、中立点の位置ζに関する計算値にもとづき、自動的に、或いは作業員によって開始することができる。作業員による介入を開始する必要が有る場合、作業員に対して表示機器上に図３と同様な表示で中立点の最新の位置を随時可視化するのが有益である。その場合、作業員が、中立点の最新の表示された位置ζにもとづき、圧延プロセスが実際に安定して、不安定に、或いは非常に不安定に進行しているのか否かを直ちに認識して、それに応じて好適な措置を採ることができる。
【００２８】
証拠書類化を目的として、ζの値を、その時間経過に沿って保存することは有利である。
【００２９】
有利には、この発明にもとづく中立点の位置に関する値ζの計算は、圧延プロセスを制御する制御装置のためのコンピュータプログラムで実現される。
【図面の簡単な説明】
【００３０】
【図１】金属ストリップを通すロールギャップを構成するロール対
【図２】この発明による方法を図解したブロック図
【図３】ロールギャップでの中立点の相対的な位置に関する様々な可能な位置範囲
【図１】
2008521621.tif 000006
【図２】
2008521621.tif 000007
【図３】
2008521621.tif 000008
【国際調査報告】
2008521621.tif 000009
2008521621.tif 000010
2008521621.tif 000011
2008521621.tif 000012
2008521621.tif 000013
2008521621.tif 000014